【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
供給される電流に従って輝度が決定される発光素子と、前記発光素子に前記電流を供給する駆動トランジスタとを含む画素回路を備える発光表示装置の駆動回路であって、
前記駆動トランジスタの制御電極に前記発光素子に前記電流を供給するための第1の信号が入力されたときに、前記駆動トランジスタから出力される第２の信号に含まれる前記駆動トランジスタの閾値に対応する信号成分の極性を反転して得られる第３信号を前記画素回路に出力する閾値補正回路を有し、
前記画素回路は前記第３信号を前記駆動トランジスタの前記制御電極に供給するスイッチを備え、
前記スイッチは、前記第３の信号が得られる閾値プログラム期間と、得られた前記第３の信号に基づいて前記発光素子を駆動する発光素子駆動期間との２つのモードに応じて切り替わることを特徴とする発光表示装置の駆動回路。
【請求項２】
前記画素回路は２次元に配列され、前記第１の信号は画素回路列ごとに設けられたデータ線により入力され、
前記閾値補正回路は前記画素回路列ごとに設けられていることを特徴とする請求項１に記載の発光表示装置の駆動回路。
【請求項３】
供給される電流で輝度が決定される発光素子、前記発光素子に前記電流を供給する駆動トランジスタ、第１から第５のスイッチ、及び容量素子を含む画素回路と、前記画素回路の前記駆動トランジスタの閾値を補正するための閾値補正回路とを備える発光表示装置の駆動回路であって、
前記閾値補正回路は第１及び第２のオペアンプと、第１及び第２の抵抗素子とを有し、前記第１のオペアンプは、出力端子が前記第１の抵抗素子を介して前記第２のオペアンプの反転入力端子に接続され、非反転入力端子は前記駆動トランジスタのソース端子に前記第１のスイッチを介して接続され、かつ反転入力端子は前記第１のオペアンプの出力端子に接続され、
前記第２のオペアンプは、出力端子と反転入力端子が前記第２の抵抗素子を介して互いに接続され、かつ、非反転入力端子は基準電位に接続され、
前記容量素子は、前記第２のオペアンプの出力端子に前記第２のスイッチを介して接続され、
前記第３のスイッチは、前記駆動トランジスタのソース端子とＧＮＤとの間に接続され、
前記第４のスイッチおよび第５のスイッチは、それぞれ一方の端子が前記駆動トランジスタのゲート端子に接続され、前記第４のスイッチの他方の端子は前記容量素子と第２のスイッチとの接続点と接続され、前記第５のスイッチの他方の端子は、データドライバからの信号線と接続されていることを特徴とする発光表示装置の駆動回路。
【請求項４】
供給される電流で輝度が決定される発光素子、前記発光素子に前記電流を供給する駆動トランジスタ、第１から第４のスイッチ、及び容量素子を含む画素回路と、前記画素回路の前記駆動トランジスタの閾値を補正するための閾値補正回路とを備える発光表示装置の駆動回路であって、
前記閾値補正回路は第１及び第２のオペアンプと、第１及び第２の抵抗素子とを有し、
前記第１のオペアンプは、出力端子が前記第１の抵抗素子を介して前記第２のオペアンプの反転入力端子に接続され、非反転入力端子は前記駆動トランジスタのソース端子に前記第１のスイッチを介して接続され、かつ反転入力端子は前記第１のオペアンプの出力端子に接続され、
前記第２のオペアンプは、出力端子が前記第２のスイッチを介して前記容量素子に接続され、かつ反転入力端子が基準電位に接続され、
前記第３のスイッチは、前記駆動トランジスタのソース端子とＧＮＤとの間に接続され、
前記容量素子および前記第２のスイッチとの接続点は、前記駆動トランジスタのゲート端子に接続され、かつ前記接続点は、前記第４のスイッチを介して、データドライバからの信号線と接続されていることを特徴とする発光表示装置の駆動回路。
【請求項５】
前記画素回路は２次元に配列され、前記信号線は画素回路列ごとに設けられ、
前記閾値補正回路は前記画素回路列ごとに設けられ、且つ複数の前記画素回路が配置された画素領域の周辺領域に配置されていることを特徴とする請求項３又は４に記載の発光表示装置の駆動回路。
【請求項６】
前記第1のスイッチは前記駆動トランジスタのソース端子と前記第１のオペアンプの非反転入力端子との間に接続され、前記第1のスイッチと前記第１のオペアンプの非反転入力端子との接続点には電流源回路が接続されていることを特徴とする請求項３又は４に記載の発光表示装置の駆動回路。
【請求項７】
前記発光素子の両端子に並列して接続される第７のスイッチを有することを特徴とする請求項３又は４に記載の発光表示装置の駆動回路。
【請求項８】
前記発光素子が有機ＥＬ素子であることを特徴とする請求項１〜７のいずれかに記載の発光表示装置の駆動回路。
【請求項９】
供給される電流で輝度が決定される発光素子と、前記発光素子に前記電流を供給する駆動トランジスタとを含む画素回路を備える発光表示装置の駆動方法であって、
前記駆動トランジスタの制御電極に前記発光素子に前記電流を供給すための第1の信号が入力されたときに、前記駆動トランジスタから出力される第２の信号に含まれる前記駆動トランジスタの閾値に対応する信号成分の極性を反転して得られる第３の信号を容量素子にメモリする第１の期間と、
前記容量素子にメモリされた前記第３の信号を前記駆動トランジスタの前記制御電極に供給して前記発光素子を駆動する第２の期間と、を有することを特徴とする発光表示装置の駆動方法。
【請求項１０】
前記第１の期間において、駆動トランジスタがソースフォロア回路として機能していることを特徴とする請求項９に記載の発光表示装置の駆動方法。
【請求項１１】
請求項１から８のいずれか１項に記載の駆動回路を備えた発光表示装置と、被写体を撮像する撮像部と、前記撮像部で撮像された信号を処理する映像信号処理部と、を備え、前記映像信号処理部で信号処理された映像信号を前記発光表示装置で表示してなるカメラ。
【手続補正２】
【補正対象書類名】明細書
【補正対象項目名】００２５
【補正方法】変更
【補正の内容】
【００２５】
以下、図面を用いて本発明の駆動回路の一実施形態の構成及びその動作について説明する。図１に示すように、駆動トランジスタのドレイン端子は発光素子に接続され、ソース端子は駆動トランジスタの閾値を補正ための閾値補正回路に接続される。駆動トランジスタの制御電極となるゲートには、データ電圧Vdataと閾値補正回路からの出力のいずれかが入力される。発光素子の発光素子駆動期間の前の期間においてスイッチをオンにし、駆動トランジスタのゲートにデータ電圧Vdata（第１の信号）を入力する。Vdata−Vth（第２の信号。Vthは閾値電圧）が閾値補正回路に入力され、閾値補正回路で閾値電圧Vthの極性（正負）を反転させてVdata＋Vthを駆動トランジスタのゲートに出力する（第３の信号）。ここで、
駆動トランジスタのドレイン電流Ｉdsは、ゲート−ソース間電圧をＶgsとすると、
Ｉds∝（Ｖgs−Ｖth）２
となり、Ｖgs＝Ｖdata＋Ｖthとなるので、
Ｉds∝（Ｖdata）２
となる。
【手続補正３】
【補正対象書類名】明細書
【補正対象項目名】００４８
【補正方法】変更
【補正の内容】
【００４８】
ここで駆動トランジスタＴｒ１０のドレイン電流Ｉdsは、ゲート−ソース間電圧をＶgsとすると、
Ｉds∝（Ｖgs−Ｖth）２
ここで、先のしきい値プログラム期間により
Ｖgs＝Ｖdata＋Ｖthとなるので、
Ｉds∝（Ｖdata）２・・・・・・・・・・（２）
で表される。
【手続補正４】
【補正対象書類名】明細書
【補正対象項目名】００５７
【補正方法】変更
【補正の内容】
【００５７】
この場合、先述したしきい値プログラム期間において、オプアンプＡＭＰ８における出力は、
（Ｖin＋Ｖout）／２＝Ｖref
Ｖout＝２Ｖref−Ｖin
ここでＶin＝Ｖdata−ＶthかつＶref＝Ｖ１（Ｖ１は任意のＤＣ電圧）
Ｖout＝２Ｖ１−Ｖdata＋Ｖth・・・・・・・・・・（３）
一方、発光素子駆動期間の駆動トランジスタを流れる電流は、
Ｉds∝（Ｖgs−Ｖth）２
Ｖgs＝２Ｖ１−Ｖdata＋Ｖthとなるので、
Ｉds∝（２Ｖ１−Ｖdata）２・・・・・・・・・・（４）
となり、有機ＥＬ素子への供給電流は、実施例１同様、Ｖthの値やその変化の影響をほとんど受けることがない。